(57)【特許請求の範囲】
【請求項１】
遺物が埋没した土壌から、遺物と土砂とを選別して遺物を採取する水洗選別装置であって、
遺物が埋没した土壌が投入され、水及び土砂を通して遺物を通さない分離カゴと、
前記分離カゴが挿入される分離槽と、
前記分離槽に水を供給する給水槽と、
前記給水槽の水を前記分離カゴに噴射する噴水手段と、
前記分離槽から流れ出た水を溜め置く第１の沈殿槽と、
前記分離槽の水を前記第１の沈殿槽に流し込む排水流路と、
前記分離槽の水を排出する、分離槽の底部に配置された排水ポンプと、
前記排水ポンプにより排出された水を溜め置く第２の沈殿槽と、
前記第１の沈殿槽の水を、前記給水槽に流し込む第１の導水路と、
前記第２の沈殿槽の水を、第１の沈殿槽に流し込む第２の導水路と、
を含む水洗選別装置。
【請求項２】
前記噴水手段が、
前記給水槽の水を分離槽に送り込む給水ポンプと、
前記給水槽から分離槽に送られる水に空気を混入させる噴射ノズルと、
を含む請求項１に記載の水洗選別装置。
【請求項３】
前記分離槽が、
前記分離カゴを分離槽の槽内に載置するための棚と、
前記分離槽の槽内において、前記棚を異なる高さに水平固定する、異なる高さの複数の棚受と、
を含む請求項１または請求項２に記載の水洗選別装置。
【請求項４】
前記排水流路が、
前記排水流路に配置された、水に含まれる浮遊物を集める浮遊物収集カゴを含む請求項１〜請求項３のいずれかに記載の水洗選別装置。
【発明の詳細な説明】
【０００１】
【発明の属する技術分野】
本発明は、人工遺物及び自然遺物が埋没している土壌において、これらの遺物と土砂を分離させて遺物を採取する水洗選別装置に関する。
【０００２】
【従来の技術】
古い時代の地層における貝塚等は、人工遺物や自然遺物が土壌の中に埋没している。通称土洗いと呼ばれる作業は、その土壌に含まれる遺物と土砂とを分離させ、遺物を採取する作業である。
【０００３】
従来から行われている土洗いの作業の手順を説明する。ある程度深さを有する槽に水を張る。その槽に取っ手のついたメッシュ状のカゴを入れる。そのカゴの中に遺物を含んだ土壌を投入する。そのカゴを槽に張った水の中で揺らし、カゴの上部から土壌に対してシャワー状に水を吹きかけ、遺物と土砂とを分離させていた。また、水に浮いた種子等の浮遊物は、網の目の細かい別のカゴを用いて、手作業で掬い取っていた。
【０００４】
この従来の装置においては、常に、人が土壌に対して水を吹きかけながら、カゴを揺らす必要があった。この場合、大量の土壌を土洗いするのには、多くの労力と時間が必要であった。また、重い土壌が投入されたカゴを水の中で長時間揺らし続けることは、非常に重労働であった。
【０００５】
また、土壌を土洗いする際に、カゴを激しく揺らすことにより、遺物が破損する恐れがある。そこで、遺物の破損の恐れるあまり、少量の土壌をカゴに投入し、ゆっくりカゴを揺らす方法を行うと、土洗いの効率は極端に低下する。
【０００６】
さらに、従来の装置では、洗浄に使用した水は垂れ流しの状態であり、常に水を補給する必要があった。よって土洗いの作業には大量の水が必要であった。このことにより、大量の水を汚すことによる自然環境への影響も大きかった。
【０００７】
【発明が解決しようとする課題】
本発明が解決しようとする課題は、遺物を含む土壌を土洗いする際に、少ない人手や時間で、大量の土壌の土洗い作業を効率良く行うことができ、更に、土壌に含まれる遺物を破損させることがなく、また使用する水も少量である水洗選別装置を提供することにある。
【０００８】
【課題を解決するための手段】
本発明は、遺物が埋没した土壌から、遺物と土砂とを選別して遺物を採取する水洗選別装置であって、遺物が埋没した土壌が投入され、水及び土砂を通して遺物を通さない分離カゴと、前記分離カゴが挿入される分離槽と、前記分離槽に水を供給する給水槽と、前記給水槽の水を前記分離カゴに噴射する噴水手段と、前記分離槽から流れ出た水を溜め置く第１の沈殿槽と、前記分離槽の水を前記第１の沈殿槽に流し込む排水流路と、前記分離槽の水を排出する、分離槽の底部に配置された排水ポンプと、前記排水ポンプにより排出された水を溜め置く第２の沈殿槽と、前記第１の沈殿槽の水を、前記給水槽に流し込む第１の導水路と、前記第２の沈殿槽の水を、第１の沈殿槽に流し込む第２の導水路と、を含む構成を採用することにより課題を解決している。この請求項１の構成により、土壌が投入された分離カゴを揺らさなくても、遺物と土とを分離させることができる。また、洗浄するために使用した水を再度使用することができるので、少量の水で土洗いの作業を行うことができる。
【０００９】
また、本発明は、前記噴水手段が、各請求項における、前記給水槽の水を分離槽に送り込む給水ポンプと、前記給水槽から分離槽に送られる水に空気を混入させる噴射ノズルと含む構成を採用することにより課題を解決している。この構成を採用することにより、土壌に吹き付ける水に空気を混入させることができるので、遺物を破損することなく、土洗いの作業を効率良く行うことができる。
【００１０】
また、本発明は、前記分離槽が、前記分離カゴを分離槽の槽内に載置するための棚と、前記分離槽の槽内において、前記棚を異なる高さに水平固定するための異なる高さの複数の棚受とを含む構成を採用することにより課題を解決している。この構成を採用することにより、土壌に含まれる浮遊物を分離カゴの中に留めておくこと、又は浮遊物を分離槽から溢れ出る水と一緒に流すこと、これらの使い分けができる。
【００１１】
また、本発明は、前記排水流路が、前記排水流路に配置された、水に含まれる浮遊物を集める浮遊物収集カゴを含む構成を採用することにより課題を解決している。この構成を採用することにより、土壌に含まれる浮遊物を分離槽から溢れ出る水と一緒に流し、排水流路に配置された浮遊物収集カゴに溢れ出た水を流し込むことにより、浮遊物を容易に採取することができる。
【００１２】
【発明の実施の形態】
本発明の水洗選別装置１０ａにおける第１の実施の形態を、図を用いて説明する。図１は本発明による水洗選別装置１０ａの側面図である。また図２は、本発明による水洗選別装置１０ａの上面図である。水洗選別装置１０ａは、遺物が埋没している土壌が投入される分離カゴ１２と、分離カゴ１２が挿入される分離槽１４と、分離槽１４に水を供給する給水槽１６と、給水槽１６の水を分離カゴ１２に噴射する噴水手段１８と、分離槽１４から流れ出した水を集める排水流路２０と、排水流路２０を流れた水を溜め置く沈殿槽１５と、沈殿槽１５から流れ出した水を給水槽１６に流し込む導水路２２により構成される。
【００１３】
分離カゴ１２は、図４に示されるように、細い金属の線材をメッシュ状に編み込みカゴ型に形成されている。本実施の形態の場合、分離カゴ１２は３種類用いている。これは、分離カゴ１２を形成する網の目が４ｍｍ、２ｍｍ、１ｍｍの３種類の分離カゴ１２である。この３種類の分離カゴ１２は、各々が入れ子状に重なりあっている。入れ子状に重なった最も内側には４ｍｍの分離カゴ１２が配置される。その４ｍｍの分離カゴ１２の外側に２ｍｍの分離カゴ１２が配置され、２ｍｍの分離カゴ１２の外側に１ｍｍの分離カゴ１２が配置される。以後「分離カゴ１２」と表現する場合は、この入れ子状に重なり合った分離カゴ１２の組み合わせこのことを示す。
【００１４】
分離槽１４は、図１において示されるように、分離カゴ１２を分離槽１４の槽内に載置するための棚２４と、分離槽１４の槽内において、棚２４を異なる高さに水平固定する、異なる高さの複数の棚受２６を含んだ構成を採用している。この分離槽１４は、分離カゴ１２が横に２組並ぶ程度の横幅を有する。この分離槽１４は水を溜めることが出来る構造となっている。分離槽１４の水を排出するための排出弁（図示せず）が分離槽１４の底部に設けられている。
【００１５】
この棚２４は、ある程度直径の太い（２ｍｍ程度）金属線をメッシュ状に編み、平板状に形成されている。この棚２４の大きさは、分離槽１４の槽内における水平面の面積とほぼ同じ大きさを有する。分離槽１４の槽内の四隅には棚受２６が配置されている。この棚受２６は、Ｌ字状の金属板により形成されている。この棚受２６を構成するＬ字状の金属板の水平部分が、他の棚受２６における金属板の水平部分と同一水平面になるように、分離槽１４の内面に溶接接合されている。この棚受２６は、異なる高さの２通りの水平面を有するよう、２段設けられている。この２段の棚受２６を用いることにより、棚２４を２通りの高さに固定することができ、しいては、分離カゴ１２を２通りの高さに載置することができる。
【００１６】
２段の高さを有する棚受２６の使い分けを説明する。土壌に含まれる浮遊物を水と一緒に分離槽１４から流す場合は、下の段の棚受２６に棚２４を置き、その上に分離カゴ１２を載置する。土壌に含まれる浮遊物を水と一緒に分離槽１４から流さない場合は、上の段の棚受２６に棚２４を置き、その上に分離カゴ１２を載置する。
【００１７】
また、図２において示されるように、この分離槽１４の槽内の底部には、後述する噴射ノズル２８が２個配置される。この噴射ノズル２８は、それぞれの分離カゴ１２の底面中央に位置するように配置される。この分離槽１４の外側の側面には、後述する噴射ノズル２８に空気を供給するための吸気口３０が設けられている。
【００１８】
分離槽１４における給水槽１６側の上端には、分離槽１４から上澄みの水を排出させるための排水口３２が設けられている。この排水口３２は、後述する排水流路２０に接続されている。この排水口３２によって分離槽１４から溢れ出す上澄みの水を排出している。
【００１９】
図１において示すように、この分離槽１４は、基台を用いることにより地面より高い位置に固定されている。分離槽１４の底部側に空間が空くことにより、後述する噴射ノズル２８に接続する給水パイプ３６を配置することが可能となる。
【００２０】
給水槽１６は、分離槽１４に水を供給する役割を果たしている。この給水槽１６は、分離槽１４とほぼ同じ大きさの槽により形成されている。この給水槽１６の槽内の底部には、後述する噴水手段１８を構成する給水ポンプ３４が配置されている。この給水槽１６は水を溜めることが出来る構造となっている。給水槽１６の水を排出するための排出弁（図示せず）が給水槽１６の底部に設けられている。
【００２１】
噴水手段１８は、給水槽１６の水を分離槽１４に送り込む給水ポンプ３４と、給水槽１６から分離槽１４に送られる水に空気を混入させる噴射ノズル２８により構成されている。この給水ポンプ３４は、給水槽１６内の水を吸い込み、加圧して排出することにより、分離槽１４に水を供給している。給水ポンプ３４から延びた給水パイプ３６により、分離槽１４に水を供給している。この給水パイプ３６には、供給する水の量を調節する給水バルブ３８が設けられている。
【００２２】
噴射ノズル２８は、図３に示されるように、水に空気を混入させるため、噴射ノズル２８の一部に空気取り込み口４０を設けてある。噴射ノズル２８の外観は、高さ方向に向かって一部テーパ状に細く形成されている。噴射ノズル２８の内部は、テーパ状に細く形成されている部分まで、先細りした内ノズル４２が噴射ノズル２８の内部に挿入された２重構造となっている。
【００２３】
内ノズル４２の外面と噴射ノズル２８の内面は密接しておらず、隙間が空けられている。内ノズル４２の外面側には空間が設けられており、この空間部分に空気取り込み口４０が設けられている。
【００２４】
内ノズル４２の内面に給水ポンプ３４から加圧された水が、噴射ノズル２８の噴射口４４方向に供給されると、内ノズル４２の外側の空間にある空気が、水の流れる圧力により、内ノズル４２の外面と噴射ノズル２８の外面との隙間から噴射ノズル２８の噴射口４４方向に流れる。この隙間で水に空気が混入され、空気の泡が混じった水が、噴射ノズル２８の噴射口４４より勢いよく排出される。
【００２５】
噴射ノズル２８における空気取り込み口４０には、吸気パイプ４６が接続されている。図１に示すように、吸気パイプ４６は、分離槽１４の排水口３２より高い位置に設けられた吸気口３０に接続されており、この吸気口３０から、噴射ノズル２８に空気が供給されている。この吸気口３０を分離槽１４の排水口３２より高い位置に設けた理由は、給水ポンプ３４が停止した場合に、分離槽１４に張られた水が噴射ノズル２８の隙間部分から浸入し、逆流して吸気口３０より排出されることを防止するためである。
【００２６】
排水流路２０は、分離槽１４から流れ出る水を後述する沈殿槽１５に流し込む役割を果たす。分離槽１４における給水槽１６側の側面上部には、矩形の排水口３２が設けられている。図５に示すように、排水口３２の外側（分離槽１４の外側部分）に排水流路２０の始端が接続されている。この排水口３２は、分離槽１４の槽内と槽の外とを貫通している。給水槽１６から供給された水で分離槽１４が満たされ、溢れ出た水が、排水口３２から排水流路２０に流れ込む構造となっている。
【００２７】
図１において示すように、この排水流路２０は分離槽１４から沈殿槽１５に水が流れるよう斜めに設けられている。排水流路２０の始端は分離槽１４における排水口３２に接続され、排水流路２０の終端には、水と一緒に流れる浮遊物を採取するための浮遊物収集カゴ４８が設けられている。排水流路２０の終端は沈殿槽１５の上部まで延びている。この浮遊物収集カゴ４８は、網の目が非常に細かいカゴである。また、排水流路２０の終端は、水が流れる面に対して直角に５ｃｍほど立ち上がった壁が設けられている。排水流路２０の終端の水が流れる面には、直径１０ｃｍの穴が２箇所並んで空けられている。浮遊物収集カゴ４８は、この２箇所の穴にそれぞれ嵌めこまれている。
【００２８】
分離槽１４から溢れ出た浮遊物を含む水は、排水口３２から排水流路２０に流れ込み、排水流路２０の終端で壁にぶつかり、浮遊物収集カゴ４８が嵌め込まれた穴から沈殿槽１５に流れ込む。水に含まれた浮遊物は、浮遊物収集カゴ４８によって採取することができる。
【００２９】
沈殿槽１５は、分離槽１４から流れ込んだ水を溜め置き、細かい土砂を沈殿させる役割を果たす。また、沈殿槽１５には、沈殿槽１５の水を給水槽１６に流し込む導水路２２が設けられている。この導水路２２は、沈殿槽１５の上部に設けられた流出口５０と、この流出口５０に接続された給水流路５２により構成される。給水流路５２の始端は沈殿槽１５における流出口５０に接続され、給水流路５２の終端は給水槽１６の上部まで延びている。この給水流路５２は、沈殿槽１５から給水槽１６に水が流れるよう、始端の高さより終端の高さのほうが低く、斜めに設けられている。この沈殿槽１５は水を溜めることが出来る構造となっている。沈殿槽１５の水を排出するための排出弁（図示せず）が沈殿槽１５の底部に設けられている。
【００３０】
次にこの第１の実施形態における水洗選別装置１０ａの作用を説明する。分離槽１４、給水槽１６及び沈殿槽１５に水を充填する。分離カゴ１２の中に、遺物が埋没している土壌を投入する。土壌が投入された分離カゴ１２を水で満たされた分離槽１４の中に挿入する。給水ポンプ３４の電源を入れ、給水ポンプ３４を作動させる。
【００３１】
すると、噴射ノズル２８によって空気が混入された水が、分離カゴ１２の下部に当たる。分離カゴ１２の中に投入された土壌は、分離槽１４の水の中で攪拌される。土壌に含まれていた形の大きい遺物が、分離カゴ１２を構成する４ｍｍのカゴの中に堆積する。それより小さい遺物は、分離カゴ１２を構成する２ｍｍのカゴ、又は１ｍｍのカゴに堆積する。分離カゴ１２に堆積しない土砂は、分離槽１４の底部に堆積する。この分離槽１４の底部に堆積した土砂は、分離槽１４の底部に設けられた排出弁を開放することにより排出される。
【００３２】
また土壌に含まれていた、水に浮く炭化物や種子等の浮遊物は、分離槽１４から溢れ出た水と一緒に排水口３２から流れ出る。溢れ出た水は排水流路２０を流れて、浮遊物は浮遊物収集カゴ４８に堆積し、分離槽１４から流れ出た水は沈殿槽１５に流入する。沈殿槽１５に流入した水が沈殿槽１５を溢れさせる。沈殿槽１５から溢れ出た水が、流出口５０から給水流路５２を流れて給水槽１６に流入する。
【００３３】
図５に示すように、この第１の実施形態においては、分離カゴ１２の下部から勢い良く水を噴射させることにより、分離カゴ１２に投入された土壌は分離カゴ１２を揺らすことなく攪拌される。分離カゴ１２を揺らすことがないので、土洗いの作業を楽に行うことができる。また、噴射ノズル２８から噴射された水の中に、空気の泡が無数に混入されるので、水中における土壌の攪拌を一層効率良くさせている。よって、土洗いの作業を短時間で大量に行うことができる。
【００３４】
また、給水パイプ３６に設けられた給水バルブ３８によって分離槽１４に供給する水量を調節することができるので、噴射の勢いを調節することができる。よって、土壌に含まれるであろう遺物の種類によって、噴射の勢いを調節することができる。加えて、分離槽１４の水の中で、水と空気の泡によって土壌が攪拌されるので、土壌に含まれる遺物を破損させることなく、土壌と遺物を分離させることができる。
【００３５】
また、土壌に含まれていた浮遊物は、分離槽１４から溢れ出た水と一緒に流されるので、浮遊物収集カゴ４８によって採取することができる。よって、分離カゴ１２の中で浮遊物を掬い取る手間が要らない。
【００３６】
また、沈殿槽１５に流入した水に含まれる細かい土砂は、沈殿槽１５の底に沈み溜まる。よって細かい土砂が含まれない水が沈殿槽１５から溢れ出し、給水槽１６に流入する。その流入した水が、再度、給水槽１６から噴水手段１８により分離槽１４に供給される。よって、一度土洗いに使用した水を再利用することができるので、土洗いに使用する水が少量で済み、自然環境に対する影響を低下させることができる。
【００３７】
次に、図６を用いて第２の実施形態の水洗選別装置１０ｂを説明する。この第２の実施形態は、土壌が投入される分離カゴ１２と、分離カゴ１２が挿入される分離槽１４と、分離槽１４に水を供給する給水槽１６と、給水槽１６の水を分離カゴ１２に噴射する噴水手段１８と、分離槽１４から流れ出た水を溜め置く第１沈殿槽５４と、分離槽１４の水を第１沈殿槽５４に流し込む排水流路２０と、分離槽１４の水を排出する、分離槽１４の底部に配置された排水ポンプ６２と、排水ポンプ６２により排出された水を溜め置く第２沈殿槽５６と、第１沈殿槽５４の水を給水槽１６に流し込む第１導水路５８と、第２沈殿槽５６の水を第１沈殿槽５４に流し込む第２導水路６０とにより構成される。概略を説明すると、第１の実施の形態における構成に、沈殿槽をもう一つ追加し、追加された第２沈殿槽５６に、分離槽１４に配置された排水ポンプ６２を用いて土砂を含む水を排出するする構成を採用している。以下、第１の実施形態と異なる構成の部分のみ説明する。
【００３８】
図６、図７に示すように、排水流路２０から流れ出た水を溜め置く第１沈殿槽５４が給水槽１６の横に配置される。また、この第１沈殿槽５４の横に第２沈殿槽５６が配置される。この第１沈殿槽５４、及び第２沈殿槽５６は水を溜めることが出来る構造となっている。第１沈殿槽５４、及び第２沈殿槽５６の水を排出するための排出弁（図示せず）が第１沈殿槽５４、及び第２沈殿槽５６各々の底部に設けられている。
【００３９】
第１導水路５８は、第１沈殿槽５４の水を給水槽１６に供給する役割を果たす。この第１導水路５８は、第１沈殿槽５４の上部に設けられた第１流出口６６と、この第１流出口６６に接続された第１給水流路６８により構成される。第１給水流路６８の始端は第１沈殿槽５４における第１流出口６６に接続され、第１給水流路６８の終端は給水槽１６の上部まで延びている。この第１給水流路６８は、第１沈殿槽５４から給水槽１６に水が流れるよう、始端の高さより終端の高さのほうが低く、斜めに設けられている。
【００４０】
第２導水路６０は、第２沈殿槽５６の水を第１沈殿槽５４に供給する役割を果たす。この第２導水路６０は、第２沈殿槽５６の上部に設けられた第２流出口７０と、この第２流出口７０に接続された第２給水流路７２により構成される。第２給水流路７２の始端は第２沈殿槽５６における第２流出口７０に接続され、第２給水流路７２の終端は第１沈殿槽５４の上部まで延びている。この第２給水流路７２は、第２沈殿槽５６から第１沈殿槽５４に水が流れるよう、始端の高さより終端の高さのほうが低く、斜めに設けられている。
【００４１】
分離槽１４の槽内底部には、分離槽１４の下部に堆積した細かい土砂を排出する排水ポンプ６２が設けられている。この排水ポンプ６２には排水パイプ６４が接続されている。この排水パイプ６４が第２沈殿槽５６の上部まで延長されており、排水ポンプ６２から排出される細かい土砂を含む水を、第２沈殿槽５６に排出している。この排水ポンプ６２は給水ポンプ３４の排出能力よりも低い排出能力のものが使用されている。
【００４２】
次に、この第２の実施形態における水洗選別装置１０ｂの作用を説明する。ここでは、第１の実施形態と異なる部分のみ説明する。第２の実施形態における水洗選別装置１０ｂを使用する前に、第１沈殿槽５４、及び第２沈殿槽５６に水を充填させる。第１の実施形態における作用と異なる部分は、分離槽１４から溢れ出した水は、排水流路２０によって第１沈殿槽５４に流入する。また、分離槽１４に配置された排水ポンプ６２によって、分離槽１４の底部に堆積した細かい土砂を含む水が、第２沈殿槽５６に排出される。
【００４３】
第２沈殿槽５６においては、排水ポンプ６２によって分離槽１４から排出された水に含まれる土砂が、この第２沈殿槽５６の底部に堆積する。そして、第２沈殿槽５６から溢れ出した土砂をあまり含まない水が、第２沈殿槽５６の第２流出口７０から、第２給水流路７２を介して第１沈殿槽５４に流れ込む。この第２沈殿槽５６の底部に堆積した土砂は、第２沈殿槽５６の底部に設けられた排出弁を開放することにより排出される。
【００４４】
第１沈殿槽５４においては、分離槽１４から排水流路２０を介して流れ込んだ水と、第２沈殿槽５６から第２給水流路７２を介して流れ込んだ水とが流れ込む。このとき、第１沈殿槽５４に流れ込んだ水に含まれる土砂が第１沈殿槽５４の底部に堆積する。そして、第１沈殿槽５４から溢れ出した水が、第１給水流路６８を介して給水槽１６に供給される。
【００４５】
この第２の実施の形態においては、分離槽１４の底部に堆積する土砂を排水ポンプ６２により第２沈殿槽５６に排出することができる。よって、分離槽１４の底部に土砂が堆積しないので、大量の土壌を土洗いする際に、分離槽１４に堆積した土砂を取り除く作業を行う必要がない。よって、大量の土壌を土洗いする際には、土洗いの作業効率が向上する。
【００４６】
また、分離槽１４の底部に排水ポンプ６２を設けたことにより、分離槽１４の槽内の水が頻繁に入れ替わることになる。よって、分離槽１４から溢れ出だし、排水流路２０を介して第１沈殿槽５４に流れ込む水の中に、細かい土砂が混じり込むことが少なくなる。よって、第１沈殿槽５４の底部に堆積する土砂の量が極端に少なくなる。第１沈殿槽５４に堆積した土砂を取り除く作業を行う回数が減少する。よって、大量の土壌を土洗いする際には、土洗いの作業効率が向上する。
【００４７】
また、土壌を土洗いする際に発生する土砂の大部分が第２沈殿槽５６の底部に堆積する。よって、分離槽１４や第１沈殿槽５４において土砂を取り除く作業を行う回数が極端に減り、第２沈殿槽５６に堆積した土砂を取り除く作業を重点的に行えばよいので、大量の土壌を土洗いする際には、土洗いの作業効率が向上する。
【００４８】
本発明は、その趣旨を逸脱しない範囲で当業者の知識に基づき種々なる改良、修正、変形を加えた態様で実施できるものである。
【００４９】
例えば、噴射ノズル２８を分離槽１４の底部に配置することに限定されない。分離槽１４の側面に噴射ノズル２８を配置して、分離カゴ１２の側面から水を噴射する構造に変更することも可能である。また、分離槽１４の底部と、分離槽１４における四方の側面とに噴射ノズル２８を配置する組み合わせも可能である。また、分離槽１４に挿入する分離カゴ１２の数も２個に限定されない。
【００５０】
また、使用する沈殿槽は１個及び２個に限定されない。ある沈殿槽から他の沈殿槽に水を流し込み、最終的に沈殿槽から給水槽１６に水を流し込む構造を採用するならば、沈殿槽の数を複数設けることも可能である。
【００５１】
また、実施の形態における排水流路２０は、沈殿槽１５、及び第１沈殿槽５４に流しこむことに限定されない。第２沈殿槽５６に流し込むように排水流路２０の構造を変更することも可能である。
【００５２】
また、吸気パイプ４６に途中に、空気の量を調節するバルブを設けることも可能である。この空気の量を調節するバルブを設けることにより、噴射ノズル２８から噴射される水の中に含まれる空気の量を調節することが出来る。また、噴射ノズル２８から噴射される水の中に、空気を全く含ませないことも出来る。
【００５３】
また、本発明による水洗選別装置は、土壌に含まれる遺物の選別作業に使用することに限定されない。発掘された土器や陶器の破片に付いた土を取り除き、土器や陶器を水洗選別する作業に使用することも可能である。この作業においても、噴射ノズルから噴射される、空気を含む水により土器や陶器を水洗するので、土器や陶器を破損させることなく、また、短時間に効率良く土器や陶器の破片に付いた土を取り除くことが出来る。
【００５４】
【発明の効果】
本発明は、分離カゴの下部から勢い良く水を噴射させることにより、分離カゴに投入された土壌は分離カゴを揺らすことなく攪拌される。分離カゴを揺らすことがないので、土洗いの作業を楽に行うことができる。また、噴射ノズルから噴射された水の中に、空気の泡が無数に混入されるので、水中における土壌の攪拌を一層効率良くさせている。よって、土洗いの作業を少ない人手によって短時間で大量に行うことができる。
【００５５】
また、給水パイプに設けられたバルブによって分離槽に供給する水量を調節することができるので、噴射の勢いを調節することができる。よって、土壌に含まれるであろう遺物の種類によって、噴射の勢いを調節することができる。加えて、分離槽の水の中で、水と空気の泡によって土壌が攪拌されるので、土壌に含まれる遺物を破損させることなく、土壌と遺物を分離させることができる。
【００５６】
また、土壌に含まれていた浮遊物は、分離槽から溢れ出た水と一緒に流されるので、浮遊物収集カゴによって採取することができる。よって、分離カゴの中で浮遊物を掬い取る手間が要らない。
【００５７】
また、沈殿槽に流入した水に含まれる細かい土砂は、沈殿槽の底に沈み溜まる。よって細かい土砂が含まれない上澄みの水が沈殿槽から溢れ出し、給水槽に流入する。その流入した水が、再度、給水槽から噴水手段により分離槽に供給される。よって、一度土洗いに使用した水を再利用することができるので、土洗いに使用する水が少量で済み、自然環境に対する影響を低下させることができる。
【００５８】
また、分離槽の底部の排水ポンプを設け、複数設けた沈殿槽に排水ポンプを用いて土砂を含む水を排出する水洗選別装置においては、分離槽の底部に土砂が堆積しないので、大量の土壌を土洗いする際に、分離槽に堆積した土砂を取り除く作業を行う必要がない。よって、大量の土壌を土洗いする際には、土洗いの作業効率が向上する。
【００５９】
また、分離槽の底部に排水ポンプを設けたことにより、分離槽の槽内の水が頻繁に入れ替わることになる。よって、分離槽から溢れ出だし、排水流路を介して沈殿槽に流れ込む水の中に、細かい土砂が混じり込むことが少なくなる。よって沈殿槽の底部に堆積する土砂の量が極端に少なくなる。また、分離槽から排出された水を流し込む沈殿槽に、土壌に含まれる土砂の大部分が堆積することになる。つまり、一つの沈殿槽の土砂を取り除くことを重点的に行えば良い。よって、大量の土壌を土洗いする際には、土洗いの作業効率が向上する。
【図面の簡単な説明】
【図１】本発明による第１の実施形態における水洗選別装置の側面図である。
【図２】第１の実施形態における水洗選別装置の平面図である。
【図３】噴射ノズルの構造を示す断面図である。
【図４】分離カゴの斜視図である。
【図５】分離槽の中で土壌を攪拌させている様子を示す断面図である。
【図６】本発明による第２の実施形態における水洗選別装置の側面図である。
【図７】第２の実施形態における水洗選別装置の平面図である。
【符号の説明】
１０ａ：第１の実施形態における水洗選別装置
１０ｂ：第２の実施形態における水洗選別装置
１２：分離カゴ
１４：分離槽
１５：沈殿槽
１６：給水槽
１８：噴水手段
２０：排水流路
２２：導水路
２４：棚
２６：棚受
２８：噴射ノズル
３０：吸気口
３２：排水口
３４：給水ポンプ
３６：給水パイプ
３８：給水バルブ
４０：空気取り込み口
４２：内ノズル
４４：噴射口
４６：吸気パイプ
４８：浮遊物収集カゴ
５０：流出口
５２：給水流路
５４：第１沈殿槽
５６：第２沈殿槽
５８：第１導水路
６０：第２導水路
６２：排水ポンプ
６４：排水パイプ
６６：第１流出口
６８：第１給水流路
７０：第２流出口
７２：第２給水流路
【図１】
0004222594.tif 000002
【図２】
0004222594.tif 000003
【図３】
0004222594.tif 000004
【図４】
0004222594.tif 000005
【図５】
0004222594.tif 000006
【図６】
0004222594.tif 000007
【図７】
0004222594.tif 000008